(57)【要約】【課題】部品点数の増加および押さえ板との位置ずれを抑制し、かつ、押さえ板の取付作業性を向上させることが可能な撮像装置を提供する。【解決手段】このビデオカメラ（撮像装置）１０は、撮像素子２５が取り付けられた撮像素子取付部２２と、撮像素子２５に接続され、折り曲げ可能なフレキシブル配線板２７と、フレキシブル配線板２７を撮像素子取付部２２側に押さえ込むための押さえ板２９とを備える。また、押さえ板２９は、対向する一対の辺および対向する一対の辺とは別の辺に設けられた係合穴２９ｄを含み、撮像素子取付部２２は、押さえ板２９の係合穴２９ｄと係合する係合爪２２ａを含む。そして、押さえ板２９は、フレキシブル配線板２７を撮像素子取付部２２側に押さえ込んだ状態で、係合穴２９ｄが撮像素子取付部２２の係合爪２２ａに係合することによって、撮像素子取付部２２に取り付けられている。【選択図】図４
2009080354.tif 000002
【特許請求の範囲】
【請求項１】
撮像素子が取り付けられた撮像素子取付部と、
前記撮像素子に接続され、折り曲げ可能なフレキシブル配線板と、
前記フレキシブル配線板を前記撮像素子取付部側に押さえ込むための押さえ板とを備え、
前記押さえ板は、対向する一対の辺および前記対向する一対の辺とは別の辺に設けられた第１係合部を含み、
前記撮像素子取付部は、前記押さえ板の前記第１係合部と係合する第２係合部を含み、
前記押さえ板は、前記フレキシブル配線板を前記撮像素子取付部側に押さえ込んだ状態で、前記第１係合部が前記撮像素子取付部の前記第２係合部に係合することによって、前記撮像素子取付部に取り付けられている、撮像装置。
【請求項２】
前記押さえ板の前記第１係合部は、係合穴を含み、
前記撮像素子取付部の前記第２係合部は、前記係合穴に係合する係合爪を含む、請求項１に記載の撮像装置。
【請求項３】
前記押さえ板は、前記押さえ板の主表面に対して垂直下方向に延びる取付部を含むとともに、前記押さえ板の前記係合穴は、前記取付部に設けられており、
前記撮像素子取付部の前記係合爪は、前記撮像素子取付部の外側面に突出するように設けられるとともに下方から上方に向かって突出量が小さくなるような形状を有する、請求項２に記載の撮像装置。
【請求項４】
前記取付部は、前記係合穴が前記係合爪に係合した状態で、前記取付部の内側の面が前記撮像素子取付部の側面に当接するように構成されている、請求項３に記載の撮像装置。
【請求項５】
前記押さえ板は、真円形状の第１穴部および楕円形状の第２穴部を含み、
前記撮像素子取付部は、第１ボス部および第２ボス部を含み、
前記第１穴部および前記第２穴部は、それぞれ前記第１ボス部および前記第２ボス部に挿入されることにより、前記押さえ板が前記撮像素子取付部に対して位置決めされるように構成される、請求項１〜４のいずれか１項に記載の撮像装置。
【発明の詳細な説明】
【技術分野】
【０００１】
この発明は、撮像装置に関し、特に、撮像素子を備えた撮像装置に関する。
【背景技術】
【０００２】
従来、撮像装置においては、撮像素子を備えた撮像装置が知られている（たとえば、特許文献１〜３参照）。
【０００３】
上記特許文献１には、撮像素子を取り付けるための撮像装置本体と、撮像装置本体を押さえるための押さえ板とを備えた撮像装置が開示されている。この撮像装置では、押さえ板の一辺に設けられている２ヶ所の引っ掛け部を撮像装置本体の爪部に係合させ、押さえ板の２ヶ所の引っ掛け部が設けられている辺と対向する辺に設けられた１ヶ所のネジ止め部を撮像装置本体とネジ止めすることによって、押さえ板が撮像装置本体に固定されている。
【０００４】
また、上記特許文献２には、光学素子と、光学素子を保持するための保持枠と、撮像素子とを備えた撮像装置が開示されている。この撮像装置では、光学素子を保持枠と撮像素子との間に挟むようにして配置し、保持枠の対向する２辺に設けられた２ヶ所の爪部を撮像素子の端面に係合させることにより固定している。
【０００５】
また、上記特許文献３には、撮像素子であるＣＣＤ（Ｃｈａｒｇｅ  Ｃｏｕｐｌｅｄ  Ｄｅｖｉｃｅｓ）と、ＣＣＤ押さえ板と、ＣＣＤホルダとを備えた撮像装置が開示されている。この撮像装置では、ＣＣＤ押さえ板と、ＣＣＤホルダとの間にＣＣＤを配置して、ＣＣＤ押さえ板と、ＣＣＤホルダとを２ヶ所でネジ止めすることにより固定している。
【０００６】
【特許文献１】特開２００７−１４３０９６号公報
【特許文献２】特開２００６−２２２５０１号公報
【特許文献３】特開平２−７１６７８号公報
【発明の開示】
【発明が解決しようとする課題】
【０００７】
しかしながら、上記特許文献１に記載の撮像装置では、押さえ板と、撮像装置本体とを３ヶ所で固定することによって、がたつきを抑制することが可能である一方、３ヶ所のうち１ヶ所をネジ止めしているため、ネジの分、部品点数が増加するという問題点がある。また、ネジを取り付けるための取付作業が煩雑化するため、押さえ板の取付作業性を向上させることが困難であるという問題点がある。
【０００８】
また、上記特許文献２に記載の撮像装置では、保持枠の対向する２辺に設けられた２ヶ所の爪部が撮像素子の２ヶ所の端面と係合するため、爪部と係合していない保持枠の対向する２辺と直交する方向に位置ずれが発生するという問題点があると考えられる。
【０００９】
また、上記特許文献３に記載の撮像装置では、ＣＣＤ押さえ板と、ＣＣＤホルダとを２ヶ所でネジ止めしているので、２つのネジの分、部品点数が増加するという問題点がある。また、ネジを取り付けるための取付作業が煩雑化するため、押さえ板の取付作業性を向上させることが困難であるという問題点がある。
【００１０】
この発明は、上記のような課題を解決するためになされたものであり、この発明の１つの目的は、部品点数の増加および押さえ板との位置ずれを抑制し、かつ、押さえ板の取付作業性を向上させることが可能な撮像装置を提供することである。
【課題を解決するための手段および発明の効果】
【００１１】
この発明の一の局面による撮像装置は、撮像素子が取り付けられた撮像素子取付部と、撮像素子に接続され、折り曲げ可能なフレキシブル配線板と、フレキシブル配線板を撮像素子取付部側に押さえ込むための押さえ板とを備え、押さえ板は、対向する一対の辺および対向する一対の辺とは別の辺に設けられた第１係合部を含み、撮像素子取付部は、押さえ板の第１係合部と係合する第２係合部を含み、押さえ板は、フレキシブル配線板を撮像素子取付部側に押さえ込んだ状態で、第１係合部が撮像素子取付部の第２係合部に係合することによって、撮像素子取付部に取り付けられている。
【００１２】
この一の局面による撮像装置では、上記のように、フレキシブル配線板を撮像素子取付部側に押さえ込むための押さえ板を備え、押さえ板は、対向する一対の辺および対向する一対の辺とは別の辺に設けられた第１係合部を含み、撮像素子取付部は、押さえ板の第１係合部と係合する第２係合部を含み、押さえ板は、フレキシブル配線板を撮像素子取付部側に押さえ込んだ状態で、第１係合部が撮像素子取付部の第２係合部に係合することによって、第１係合部と第２係合部とを係合させるだけで、押さえ板と撮像素子取付部とを固定することができるので、容易かつ迅速な取付作業を行うことができる。この結果、取付作業性を向上させることができる。また、別途、ネジ部材などを使用することなく、押さえ板と撮像素子取付部とを固定することができるので、部品点数の増加を抑制することができる。また、押さえ板の対向する一対の辺および対向する一対の辺とは別の辺に設けられた３ヶ所（３辺）の第１係合部と、撮像素子取付部に設けられた３ヶ所（３辺）の第２係合部とが互いに係合するため、押さえ板の対向する一対の辺を結ぶ方向の位置ずれのみならず対向する一対の辺と直交する方向の位置ずれも抑制することができる。押さえ板と撮像素子取付部とをより安定的に固定することができる。
【００１３】
この場合、好ましくは、押さえ板の第１係合部は、係合穴を含み、撮像素子取付部の第２係合部は、係合穴に係合する係合爪を含む。このように構成すれば、押さえ板の係合穴を撮像素子取付部の係合爪に係合させるだけで、容易に、押さえ板と撮像素子取付部とを固定することができるので、取付作業性を容易に向上させることができる。
【００１４】
上記係合穴および係合爪を含む撮像装置において、好ましくは、押さえ板は、押さえ板の主表面に対して垂直下方向に延びる取付部を含むとともに、押さえ板の係合穴は、取付部に設けられており、撮像素子取付部の係合爪は、撮像素子取付部の外側面に突出するように設けられるとともに下方から上方に向かって突出量が小さくなるような形状を有する。このように構成すれば、係合穴を係合爪に係合する際は、突出量の小さい部分から大きい部分へと係合させることができる。これにより、係合穴は係合爪の上を滑らせるようにして係合させることができるので、取付作業性をより向上させることができる。
【００１５】
上記取付部を含む撮像装置において、好ましくは、取付部は、係合穴が係合爪に係合した状態で、取付部の内側の面が撮像素子取付部の側面に当接するように構成されている。このように構成すれば、取付部の係合穴が撮像素子取付部の係合穴に係合した状態で、取付部の内側の面と撮像素子取付部の側面とを面接触させることができるので、取付部と撮像素子取付部との間にがたつきが発生するのをより有効に抑制することができる。
【００１６】
この一の局面による撮像装置において、好ましくは、押さえ板は、真円形状の第１穴部および楕円形状の第２穴部を含み、撮像素子取付部は、第１ボス部および第２ボス部を含み、第１穴部および第２穴部は、それぞれ第１ボス部および第２ボス部に挿入されることにより、押さえ板が撮像素子取付部に対して位置決めされるように構成される。このように構成すれば、第１ボス部、第２ボス部、第１穴部および第２穴部により、押さえ板と撮像素子取付部とを所定の位置に位置決めした状態で、第１係合部および第２係合部により、撮像素子取付部に押さえ板を固定することができる。また、第１ボス部および第２ボス部の位置が、寸法精度のばらつきに起因して設計位置からずれた場合でも、第２穴部を楕円形状に形成することによって、第２ボス部の位置の設計位置に対するずれ量を吸収することができる。この結果、容易にボス部を穴部に挿入することができる。これによっても、押さえ板の取付作業の作業性を向上させることができる。
【発明を実施するための最良の形態】
【００１７】
以下、本発明を具体化した実施形態を図面に基づいて説明する。
【００１８】
図１は、本発明の一実施形態におけるビデオカメラの全体構成を示した斜視図である。図２は、図１に示した本発明の一実施形態におけるビデオカメラの全体構成を別方向から見た場合の斜視図である。図３〜図１０は、本発明の一実施形態におけるビデオカメラの撮像部の詳細を示す図である。まず、図１〜図１０を参照して、本発明の一実施形態によるビデオカメラ１０の構造を説明する。なお、本実施形態では、撮像装置の一例であるビデオカメラ１０に本発明を適用した場合について説明する。
【００１９】
本発明の一実施形態におけるビデオカメラ１０では、図１および図２に示すように、樹脂製の筐体１１に、複数の光学レンズ１２が内部に収納された鏡筒１３と、ストロボ１４と、内蔵マイク１５と、ビデオテープ（図示せず）が着脱可能に装着されるビデオカセット部１６と、映像を録画する際に使用される録画／再生ボタン１７と、静止画像を録画する際に使用されるフォトボタン１８と、ファインダ１９と、録画時の映像を画面表示可能な液晶モニタ２０とが設けられている。
【００２０】
また、図１および図２に示すように、複数の光学レンズ１２が収納された鏡筒１３は、筐体１１の正面側から外部に水平に突出されるように構成されている。また、ストロボ１４は、撮影時に補助光として発光する機能を有している。また、内蔵マイク１５は、撮影時（録画時）に被写体周辺の音を収集する機能を有している。また、録画／再生ボタン１７は、ユーザが撮影時に押圧することによって、ビデオカメラ１０の撮像部２１が撮影した映像をビデオテープ（図示せず）に録画する動作を開始するとともに、録画終了時には、ビデオテープ（図示せず）への録画を停止する機能を有している。また、フォトボタン１８は、ユーザが撮影時に押圧することにより、押圧された際に撮像部２１によって撮影されていた映像を静止画像として録画する機能を有する。また、ファインダ１９および筐体１１から開閉可能に開けられる液晶モニタ２０は、ユーザがファインダ１９および液晶モニタ２０のいずれか、またはその両方を通して被写体を見ながら、撮影範囲を決定することが可能なように構成されている。
【００２１】
また、図３および図４に示すように、撮像部２１は、撮像素子取付部２２と、レンズ部材２３と、パッキン部材２４と、撮像素子２５と、配線板を保持するための保持部材２６と、フレキシブル配線板（ＦＰＣ）２７と、ネジ部材２８と、板金製の押さえ板２９とから構成されている。
【００２２】
また、図４に示すように、撮像素子取付部２２には、係合爪２２ａと、第１ボス部２２ｂと、第２ボス部２２ｃと、ネジ取付穴２２ｄと、レンズ部材取付面２２ｅと、撮像素子取付面２２ｆと、フレキシブル配線板取付面２２ｇと、保持部材取付面２２ｈとが設けられている。なお、係合爪２２ａは、本発明の「第２係合部」の一例である。
【００２３】
また、本実施形態では、図４および図６〜図８に示すように、係合爪２２ａは、撮像素子取付部２２の外側面に突出するように３つ設けられている。また、この３つの係合爪２２ａは、図７に示すように撮像素子取付部２２から押さえ板２９の方向に向かって突出量が小さくなるような、いわゆるテーパー形状を有している。また、３つの係合爪２２ａは、それぞれ後述する３つの係合穴２９ｄに係合されるように形成されている。また、撮像素子取付部２２には、図４に示すように、平面的に見て対向する最上面上に第１ボス部２２ｂおよび第２ボス部２２ｃが設けられている。この第１ボス部２２ｂおよび第２ボス部２２ｃは、撮像素子取付部２２の最上面から垂直上方に延びるように設けられている。また、第１ボス部２２ｂおよび第２ボス部２２ｃは、撮像素子取付部２２から押さえ板２９の方向に向かってボス部の直径が小さくなるような、いわゆるテーパー形状を有している。
【００２４】
また、ネジ取付穴２２ｄは、撮像素子取付部２２の最上面に形成されている。このネジ取付穴２２ｄは、ネジ部材２８を締結可能なように形成されている。また、レンズ部材取付面２２ｅ、撮像素子取付面２２ｆ、フレキシブル配線板取付面２２ｇおよび保持部材取付面２２ｈは、それぞれ、レンズ部材２３、撮像素子２５、フレキシブル配線板２７および保持部材２６が取り付けられるように形成されている。
【００２５】
また、図４、図７および図８に示すように、保持部材２６は、第１ボス挿入穴２６ａおよび第２ボス挿入穴２６ｂと、第１保持部２６ｃおよび第２保持部２６ｄと、３つのネジ挿入穴２６ｅとが設けられている。
【００２６】
また、第１ボス挿入穴２６ａおよび第２ボス挿入穴２６ｂは、それぞれ、撮像素子取付部２２に設けられた第１ボス部２２ｂおよび第２ボス部２２ｃが挿入されるように形成されている。また、第１保持部２６ｃおよび第２保持部２６ｄは、後述する、フレキシブル配線板２７の開口部２７ｃに係合するように形成されている。また、３つのネジ挿入穴２６ｅは、それぞれ、ネジ部材２８が挿入されるように形成されている。
【００２７】
ここで、本実施形態では、フレキシブル配線板２７には、第１ボス挿入穴２７ａと、第２ボス挿入穴２７ｂと、矩形状の開口部２７ｃとが設けられている。この第１ボス挿入穴２７ａおよび第２ボス挿入穴２７ｂは、第１ボス部２２ｂおよび第２ボス部２２ｃが挿入されるように形成されている。また、フレキシブル配線板２７は、折り曲げ可能なように形成されている。具体的には、本実施形態ではフレキシブル配線板２７は２つ折りにして配置されている。また、フレキシブル配線板２７は、図７および図８に示すように、撮像素子２５に接続されている。
【００２８】
また、図４、図６、図９および図１０に示すように、板金製の押さえ板２９には、真円形状の第１穴部２９ａと、楕円形状の第２穴部２９ｂと、取付部２９ｃと、係合穴２９ｄと、ネジ逃がし部２９ｅとが設けられている。なお、係合穴２９ｄは、本発明の「第１係合部」の一例である。
【００２９】
ここで、本実施形態では、押さえ板２９は、平面的に見て実質的に四角形状を有している。また、押さえ板２９の表面に設けられた、真円形状の第１穴部２９ａおよび楕円形状の第２穴部２９ｂは、第１ボス部２２ｂおよび第２ボス部２２ｃが挿入されるように形成されている。楕円形状の第２穴部２９ｂは、穴部２９ａと穴部２９ｂとを結ぶ線上に沿って楕円状に延びるように形成されている。また、第１穴部２９ａおよび第２穴部２９ｂに第１ボス部２２ｂおよび第２ボス部２２ｃが挿入されることによって、押さえ板２９が撮像素子取付部２２に対して位置決めされるように構成されている。
【００３０】
また、本実施形態では、図３〜図５および図７〜図９に示すように、取付部２９ｃは、押さえ板２９の対向する一対の辺と、対向する一対の辺とは別の一辺との３ヶ所に設けられている。また、取付部２９ｃは、押さえ板２９の主表面に対して垂直下方に延びるようにして形成されている。また、取付部２９ｃには、矩形形状の係合穴２９ｄが設けられている。この係合穴２９ｄが係合爪２２ａと係合することによって、押さえ板２９は撮像素子取付部２２に固定される。フレキシブル配線板２７は２つ折りに曲げられた状態なので、この曲げによる付勢力を押さえ板２９によって撮像素子取付部２２側に押さえ込んでいる。また、図１０に示すように、取付部２９ｃの係合部２９ｄは、押さえ板２９の中心部を軸にして約１２０°の等角度間隔で設けられている。また、ネジ逃がし部２９ｅは、押さえ板２９の表面は、ネジ部材２８を取り付ける際に、ネジ部材２８を逃がすために設けられている。
【００３１】
また、押さえ板２９の裏面（撮像素子取付部２２側）には、約０．０５ｍｍの厚さを有する電気絶縁用の絶縁シート（図示せず）が貼られている。また、金属製の押さえ板２９は、約０．２ｍｍの厚さを有する板金からなる。
【００３２】
また、図５に示すように、押さえ板２９に設けられた係合穴２９ｄを撮像素子取付部２２に設けられた係合爪２２ａに係合させた場合に、係合穴２９ｄの矢印Ｙ２方向側の端辺は係合爪２２ａの矢印Ｙ２方向側の端辺に係合（当接）することによって、垂直方向に対して位置決めされる。また、係合穴２９ｄの矢印Ｘ２方向側の端辺と、係合爪２２ａの矢印Ｘ２方向側の端辺との距離Ｌ１は、係合穴２９ｄの矢印Ｘ１方向側の端辺と、係合爪２２ａの矢印Ｘ１方向側の端辺との距離Ｌ２（約１．０ｍｍ）と等しい。また、係合爪２２ａの矢印Ｘ１方向側の端辺と、矢印Ｘ２方向側の端辺との距離Ｌ３は、約２．０ｍｍの長さを有する。また、距離Ｌ３は、係合爪２２ａの矢印Ｙ１方向側の端辺と、係合爪２２ａの矢印Ｙ２方向側の端辺との距離Ｌ４よりも長くなるように形成されている。
【００３３】
また、本実施形態では、図７に示すように、取付部２９ｃの係合穴２９ｄが撮像素子取付部２２の係合爪２２ａに係合した状態では、取付部２９ｃの内側面は撮像素子取付部２２の外側面と当接（面接触）されるように構成されている。また、取付部２９ｃの内側面が撮像素子取付部２２の外側面と当接されることによって当接面に対して直交する方向（水平方向）に位置決めされている。
【００３４】
次に、図４を参照して、本発明の一実施形態による撮像部２１の撮像素子取付部２２に押さえ板２９を取り付ける手順を説明する。
【００３５】
まず、図４に示すように、レンズ部材２３、パッキン部材２４、撮像素子２５、保持部材２６およびフレキシブル配線板２７をそれぞれ、撮像素子取付部２２のレンズ部材取付面２２ｅ、撮像素子取付面２２ｆ、フレキシブル配線板取付面２２ｇおよび保持部材取付面２２ｈに当接させる。
【００３６】
また、保持部材２６の第１保持部２６ｃおよび第２保持部２６ｄは、フレキシブル配線板２７の上面２７ｄと下面２７ｅとで挟むようにして取り付ける。このとき、第１保持部２６ｃおよび第２保持部２６ｄは、フレキシブル配線板２７の開口部２７ｃに係合するようにして組み付ける。次に、保持部材２６を撮像素子取付部２２に当接させる。また、第１ボス部２２ｂは、第１ボス挿入穴２６ａおよび２７ａに挿入し、第２ボス部２２ｃは第２ボス挿入穴２６ｂおよび２７ｂに挿入する。次に、ネジ部材２８をネジ挿入穴２６ｅを介してネジ取付穴２２ｄに取り付けて締結する。次に、押さえ板２９の係合穴２９ｄを係合爪２２ａに係合させることによって、押さえ板２９は撮像素子取付部２２に固定される。
【００３７】
本実施形態では、上記のように、フレキシブル配線板２７を撮像素子取付部２２側に押さえ込むための押さえ板２９を備え、押さえ板２９は、対向する一対の辺および対向する一対の辺とは別の辺に設けられた係合穴２９ｄを含み、撮像素子取付部２２は、押さえ板２９の係合穴２９ｄと係合する係合爪２２ａを含み、押さえ板２９は、フレキシブル配線板２７を撮像素子取付部２２側に押さえ込んだ状態で、係合穴２９ｄが撮像素子取付部２２の係合爪２２ａに係合することによって、係合穴２９ｄと係合爪２２ａとを係合させるだけで、押さえ板２９と撮像素子取付部２２とを固定することができるので、容易かつ迅速な取付作業を行うことができる。この結果、取付作業性を向上させることができる。また、別途、ネジ部材２８などを使用することなく、押さえ板２９と撮像素子取付部２２とを固定することができるので、部品点数の増加を抑制することができる。また、押さえ板２９の対向する一対の辺および対向する一対の辺とは別の辺に設けられた３ヶ所（３辺）の係合穴２９ｄと、撮像素子取付部２２に設けられた３ヶ所（３辺）の係合爪２２ａとが互いに係合するため、押さえ板２９の対向する一対の辺を結ぶ方向の位置ずれのみならず対向する一対の辺と直交する方向の位置ずれも抑制することができる。押さえ板２９と撮像素子取付部２２とをより安定的に固定することができる。
【００３８】
また、本実施形態では、上記のように、押さえ板２９の係合部は係合穴２９ｄを含み、撮像素子取付部２２の係合部は係合穴２９ｄに係合する係合爪２２ａを含むように構成することによって、押さえ板２９の係合穴２９ｄを撮像素子取付部２２の係合爪２２ａに係合させるだけで、容易に、押さえ板２９と撮像素子取付部２２とを固定することができるので、取付作業性を容易に向上させることができる。
【００３９】
また、本実施形態では、上記のように、押さえ板２９は、押さえ板２９の主表面に対して垂直下方向に延びる取付部２９ｃを含むとともに、押さえ板２９の係合穴２９ｄは、取付部２９ｃに設けられており、撮像素子取付部２２の係合爪２２ａは、撮像素子取付部２２の外側面に突出するように設けられるとともに下方から上方に向かって突出量が小さくなるような形状を有するように構成することによって、係合穴２９ｄを係合爪２２ａに係合する際は、突出量の小さい部分から大きい部分へと係合させることができる。これにより、係合穴２９ｄは係合爪２２ａの上を滑らせるようにして係合させることができるので、取付作業性をより向上させることができる。
【００４０】
また、本実施形態では、上記のように、取付部は２９ｃは、係合穴２９ｄが係合爪２２ａに係合した状態で、取付部２９ｃの内側の面が撮像素子取付部２２の側面に当接することによって、取付部２９ｃの内側の面と撮像素子取付部２２の側面とを面接触させることができるので、取付部２９ｃと撮像素子取付部２２との間にがたつきが発生するのをより有効に抑制することができる。
【００４１】
また、本実施形態では、上記のように、押さえ板２９は真円形状の第１穴部２９ａおよび楕円形状の第２穴部２９ｂを含み、撮像素子取付部２２は第１ボス部２２ｂおよび第２ボス部２２ｃを含み、第１穴部２９ａおよび第２穴部２９ｂはそれぞれ第１ボス部２２ｂおよび第２ボス部２２ｃに挿入されることにより、押さえ板２９が撮像素子取付部２２に対して位置決めすることによって、第１ボス部２２ｂ、第２ボス部２２ｃ、第１穴部２９ａおよび第２穴部２９ｂにより、押さえ板２９と撮像素子取付部２２とを所定の位置に位置決めした状態で、係合穴２９ｄおよび係合爪２２ａにより、撮像素子取付部２２に押さえ板２９を固定することができる。また、第１ボス部２２ｂおよび第２ボス部２２ｃの位置が、寸法精度のばらつきに起因して設計位置からずれた場合でも、第２穴部２９ｂを楕円形状に形成することによって、第２ボス部２２ｃの位置の設計位置に対するずれ量を吸収することができる。この結果、容易にボス部を穴部に挿入することができる。これによっても、押さえ板２９の取付作業の作業性を向上させることができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、撮像装置の一例として、ビデオカメラを示したが、本発明はこれに限らず、ビデオカメラ以外の撮像装置などにも適用可能である。
【００４４】
また、上記実施形態では、押さえ板の係合部および撮像素子取付部の係合爪を３ヶ所（３辺）に設けている例を示したが、本発明はこれに限らず、必要に応じて、押さえ板の係合部および撮像素子取付部の係合爪をそれぞれ４ヶ所（４辺）に設けて、互いに係合させてより強固に固定させてもよい。
【００４５】
また、上記実施形態では、押さえ板に係合穴が設けられ、撮像素子取付部に係合爪が設けられる例を示したが、本発明はこれに限らず、押さえ板に係合爪を設け、撮像素子取付部に係合穴を設けてもよい。
【図面の簡単な説明】
【００４６】
【図１】本発明の一実施形態によるビデオカメラの全体構成を示す斜視図である。
【図２】本発明の一実施形態によるビデオカメラの全体構成を示す斜視図である。
【図３】本発明の一実施形態による撮像部の全体構成を示す斜視図である。
【図４】本発明の一実施形態による撮像部の全体構成を示す分解斜視図である。
【図５】本発明の一実施形態による係合穴と係合爪との係合を示す側面図である。
【図６】本発明の一実施形態による撮像部の全体構成を示す平面図である。
【図７】本発明の一実施形態による撮像部の平面図を示す図６の１００−１００線に沿った断面図である。
【図８】本発明の一実施形態による撮像部の平面図を示す図６の１００−１００線に沿った断面斜視図である。
【図９】本発明の一実施形態による押さえ板を示す斜視図である。
【図１０】本発明の一実施形態による押さえ板を示す平面図である。
【符号の説明】
【００４７】
１０    ビデオカメラ（撮像装置）
２２    撮像素子取付部
２２ａ  係合爪（第２係合部）
２５    撮像素子
２７    フレキシブル配線板
２９    押さえ板
２９ｄ  係合穴（第１係合部）
【図１】
2009080354.tif 000003
【図２】
2009080354.tif 000004
【図３】
2009080354.tif 000005
【図４】
2009080354.tif 000006
【図５】
2009080354.tif 000007
【図６】
2009080354.tif 000008
【図７】
2009080354.tif 000009
【図８】
2009080354.tif 000010
【図９】
2009080354.tif 000011
【図１０】
2009080354.tif 000012